(57)【要約】【課題】溝付きの陳列什器、欄干を有する陳列什器及びガラスフロント付の陳列什器のいずれにも装着可能であるとともに、冷凍ケース内に配置されるガラスフロント付の陳列什器にも使用可能なプライスカード用レールを提供する。【解決手段】正面板３と正面板３の背面側に位置するように正面板３の下端部分に可動自在に連結された背面板４を具備した挟持部２と、ヒンジ部１１を介して挟持部２の上部に回動自在に連結された、陳列什器の溝内に挿入可能な挿入部１４を先端部に有した支持板６と支持板６の上方部分に水平方向に連設された掛止板７と掛止板７の先端部分に下方に連設された背面側挟持板８を具備して陳列什器の欄干に掛止可能な掛止空間９を備えた掛止部５と、背面側挟持板８の下方部分において背面側に向けて連設された嵌合凹部１６を備え、ヒンジ部１１を熱可塑性エラストマーで形成した。【選択図】図１
2018038574.tif 000002
【特許請求の範囲】
【請求項１】
陳列什器に陳列される商品のプライスカードを保持しつつ前記陳列什器に装着されるプライスカード用レールであって、
透明な正面板（３）と、該正面板（３）の背面側に位置するようにして前記正面板（３）の下端部分に可動自在に連結された背面板（４）と、を具備した挟持部（２）と、
ヒンジ部（１１）を介して前記挟持部（２）の上部に回動自在に連結された、陳列什器の溝内に挿入可能な挿入部（１４）を先端部に有した支持板（６）と、該支持板（６）の上方部分に水平方向に連設された掛止板（７）と、該掛止板（７）の先端部分に下方に連設された背面側挟持板（８）と、を具備し、陳列什器の欄干に掛止可能な掛止空間（９）を備えた掛止部（５）と、
前記背面側挟持板（８）の下方部分において背面側に向けて連設された嵌合凹部（１６）と、を備えたことを特徴とするプライスカード用レール。
【請求項２】
前記ヒンジ部（１１）が熱可塑性エラストマー製であることを特徴とする請求項１に記載のプライスカード用レール。
【請求項３】
前記支持板（６）は、前記掛止板（７）との連結部分から背面側の斜め下方に向けて傾斜させた正面側挟持部（１２）と、該正面側挟持部（１２）の下端に正面側の斜め下方に向けて傾斜させたスペーサー部（１３）とを具備し、該スペーサー部（１３）の下端に下方に向けて前記挿入部（１４）を連設させたことを特徴とする請求項１又は請求項２に記載のプライスカード用レール。
【請求項４】
前記挿入部（１４）は先端部に係止爪部（１５）を有していることを特徴とする請求項１乃至請求項３のいずれかに記載のプライスカード用レール。
【発明の詳細な説明】
【技術分野】
【０００１】
本発明は、スーパーマーケット、ドラッグストア、コンビニエンスストア等において、陳列什器に陳列される陳列品の商品名、価格等を表示したプライスカードを支持するために用いられるプライスカード用レールに係り、より詳しくは、溝付きの陳列什器、欄干を有する陳列什器、及びガラスフロント付の陳列什器のいずれにも装着可能であるとともに、更に冷凍ケース内に配置されるガラスフロント付の陳列什器にも使用可能なプライスカード用レールに関する。
【背景技術】
【０００２】
従来から、スーパーマーケット、ドラッグストア、コンビニエンスストア、あるいは小売商店の店舗においては、商品を陳列する陳列什器に陳列している商品の商品名や定価等を告知するために、プライスカード用レールを用いることが行われている。
【０００３】
ここで、従来のプライスカード用レールについて図７を参照して説明すると、陳列什器の中には先端側に溝が形成されているものがあるが、図７は、このような溝付きの陳列什器における溝に係止して使用される従来のプライスカード用レール５１の側面形状を示す図であり、このプライスカード用レール５１は一般的に、陳列什器の幅に対応して全体として横長の板状としており、陳列什器に形成された溝に先端部分が挿入される支持板５２を有している。そして、この支持板５２の上端部分には、ヒンジ５６を介して、挟持部５３が可動自在に連結されており、この挟持部５３内に、商品の商品名や定価等を表示したプライスカードを支持することとしている。
【０００４】
即ち、挟持部５３は、正面板５４と背面板５５で構成されており、背面板５５はヒンジ５６を介して支持板５２の上端に可動自在に連結され、正面板５４は、背面板５５の正面側に重ねられる配置で下端部分が背面板５５の下端部分に連結され、正面板５４は、背面板５５の下端に連結された下端部分を起点に正面側にわずかに開くことを可能としている。そしてそれにより、正面板５４を正面側に開いて正面板５４と背面板５５の間にプライスカードを入れることで、プライスカード用レール内にプライスカードを支持することを可能としている。そのために、支持板５２の先端部分を陳列什器に形成された溝内に挿入することでプライスカード用レールを陳列什器に係止するとともに、挟持部５３内にプライスカードを支持することで、陳列什器に陳列している商品の商品名や定価等を告知することが可能となる。
【０００５】
一方、図８は、溝を有さない陳列什器にプライスカードを支持するために用いるプライスカード用レール６１を示す図である。即ち、商品の陳列に用いられている陳列什器には、溝を有さずに、欄干を有した欄干型のものが存在しているが、図８に示すプライスカード用レール６１は、このような欄干型の陳列什器にプライスカードを支持するために用いるものである。そして、図８に示すプライスカード用レール６１では、欄干に掛止される掛止部６２を有しており、この掛止部６２は、正面側挟持板６４と、この正面側挟持板６４の上端に水平方向に連設された掛止板６３と、この掛止板６３の背面側端部に下方に連設された背面側挟持板６５とで構成されており、掛止部６２の正面側の上端部分には、前述のプライスカード用レールと同様に、ヒンジ５６を介して、正面板５４と背面板５５を具備した挟持部５３が可動自在に連結されており、この挟持部５３内に、商品の商品名や定価等を表示したプライスカードを支持することとしている。そしてこの構成により、正面板５４を正面側に開いて正面板５４と背面板５５の間にプライスカードを入れることで、プライスカード用レール内にプライスカードを支持するとともに、掛止部６２を欄干に掛止することで、陳列什器に陳列している商品の商品名や定価等を告知することが可能である。
【０００６】
このように、陳列什器には、溝付きのものと、溝を有さない欄干型のものが存在しており、従来は、これらの陳列什器に対応したプライスカード用レールが用いられていたために、商品のアイテム数が増えてしまうという問題点が指摘されていた。
【０００７】
そのため本出願人は、過去において、陳列什器に形成された溝内に挿入可能な係止片を備えるとともに、陳列什器の欄干に係止可能な取付部材を備えたプライスカード用レールを提案しており、これにより、溝付きの陳列什器と欄干型の陳列什器の双方に装着可能なプライスカード用レールを得ることが可能となった。
【先行技術文献】
【特許文献】
【０００８】
【特許文献１】特開２００２−０６２８０６号公報
【特許文献２】特開２００１−２５８６９８号公報
【特許文献３】特開平１１−７３１０８号公報
【特許文献４】特開平１１−７３１０７号公報
【特許文献５】特開平１１−０５６５４５号公報
【特許文献６】特開平１０−２８６１４８号公報
【特許文献７】実用新案登録第３０９５７１２号公報
【特許文献８】実用新案登録第３０９６０２２号公報
【発明の概要】
【発明が解決しようとする課題】
【０００９】
しかしながら、前述の、溝付きの陳列什器と欄干型の陳列什器の双方に装着可能なプライスカード用レールでは、陳列什器の欄干に係止可能な取付部材を別途用意しておき、取り付ける対象に応じて、取付部材を取り付けたり取り外したりする必要があるために、煩わしさに堪えないという問題点が指摘されていた。
【００１０】
また従来から、冷蔵庫や冷凍庫内に冷蔵食品や冷凍商品を陳列する場合には、棚の先端側に透明な板状のガラスフロントを取り付けた陳列什器が用いられており、このタイプの陳列什器にプライスカードを支持する場合には、欄干型の陳列什器に用いるプライスカード用レールを用いることができるが、プライスカード用レールは一般的に、ヒンジ部分がＰＥＴ製であるために、特に冷凍庫内の陳列什器に使用した場合には、ヒンジ部分が凍ってしまい裂けてしまうという問題点が指摘されていた。
【００１１】
そこで、本発明は、溝付きの陳列什器、欄干型の陳列什器及びガラスフロント付の陳列什器のいずれにも装着可能であるとともに、更に冷凍ケース内に配置されるガラスフロント付の陳列什器にも使用可能なプライスカード用レールを提供することを課題としている。
【課題を解決するための手段】
【００１２】
本発明のプライスカード用レールは、
陳列什器に陳列される商品のプライスカードを保持しつつ前記陳列什器に装着されるプライスカード用レールであって、
透明な正面板と、該正面板の背面側に位置するようにして前記正面板の下端部分に可動自在に連結された背面板と、を具備した、プライスカードを挟持して支持するための挟持部と、
ヒンジ部を介して前記挟持部の上部に回動自在に連結された、陳列什器の溝内に挿入可能な挿入部を先端部に有した支持板と、該支持板の上方部分に水平方向に連設された掛止板と、該掛止板の先端部分に下方に連設された背面側挟持板とを具備し、陳列什器の欄干に掛止可能な掛止空間を備えた掛止部と、
前記背面側挟持板の下方部分において背面側に向けて連設された嵌合凹部と、を備えたことを特徴としている。
【発明の効果】
【００１３】
本発明のプライスカード用レールでは、プライスカードを挟持して支持するための挟持部と、陳列什器の欄干に掛止可能な掛止空間を備えた掛止部を備えており、掛止部は、陳列什器の溝内に挿入可能な挿入部を先端部に有した支持板を具備している。そのために、挿入部を陳列什器の溝内に挿入することで溝付きの陳列什器に装着することが可能であるとともに、掛止空間内に欄干が入る形態で掛止部を欄干に掛止することで、欄干型の陳列什器に装着することも可能であり、更に、ガラスフロントに掛止部を掛止することで、ガラスフロント付の陳列什器に装着することも可能である。従って、本発明のプライスカード用レールでは、溝付きの陳列什器、欄干型の陳列什器及びガラスフロント付の陳列什器のいずれにも装着可能である。
【図面の簡単な説明】
【００１４】
【図１】本発明のプライスカード用レールの実施例を説明するための側面図である。
【図２】本発明のプライスカード用レールの実施例を説明するための側面図である。
【図３】本発明のプライスカード用レールの実施例の作用を説明するための図である。
【図４】本発明のプライスカード用レールの実施例の作用を説明するための図である。
【図５】本発明のプライスカード用レールの実施例の作用を説明するための図である。
【図６】本発明のプライスカード用レールの実施例の作用を説明するための図である。
【図７】従来のプライスカード用レールを作用を説明するための図である。
【図８】従来のプライスカード用レールを作用を説明するための図である。
【発明を実施するための最良の形態】
【００１５】
本発明のプライスカード用レールは、プライスカードを挟持して支持するための挟持部と、プライスカード用レールを陳列什器に装着するための掛止部を具備している。そして、挟持部は、透明な正面板と、この正面板の背面側に位置するようにして正面板の下端部分に可動自在に連結された背面板を具備しており、正面板と背面板はほぼ同一の寸法形状としている。
【００１６】
一方掛止部は、ヒンジ部を介して挟持部の上部に回動自在に連結されており、陳列什器の溝内に挿入可能な挿入部を先端部に有した支持板と、この支持板の上方部分に水平方向に連設された掛止板と、この掛止板の先端部分に下方に連設された背面側挟持板を具備しており、陳列什器の欄干に掛止可能な掛止空間を内部に備えている。
【００１７】
そして、支持板の上部がヒンジ部を介して背面板の上部に回動自在に連結されており、挿入部は先端部に係止爪部を有しており、背面側挟持板の下方部分には、背面側に向けて嵌合凹部が連設されている。
【００１８】
ここで、挟持部と掛止部を連結しているヒンジ部を熱可塑性エラストマー製により形成するとよく、これにより、特に冷凍庫内の陳列什器に本発明のプライスカード用レールを使用した場合でも、ヒンジ部が凍ってしまい裂けてことを防止することができる。即ち、熱可塑性エラストマーは幅広い温度領域で使用可能であるために、これをヒンジ部に使用することで、従来のＰＥＴ製のヒンジ部と異なり、冷凍庫内の陳列什器に使用した場合でも、ヒンジ部が凍ってしまい裂けてしまうという問題点を解決することができる。
【００１９】
また、掛止部を構成する支持板は、掛止板との連結部分から背面側の斜め下方に向けて傾斜させた正面側挟持部と、この正面側挟持部の下端に正面側の斜め下方に向けて傾斜させたスペーサー部とを具備し、このスペーサー部の下端に下方に向けて挿入部を連設させて構成するとよく、これにより、欄干やガラスフロントに掛止したときに、欄干やガラスフロントに強固に掛止することができるとともに、プライスカードを見やすくすることが可能である。
【実施例１】
【００２０】
本発明のプライスカード用レールの実施例について、図面を参照して説明すると、図１及び図２は、本実施例のプライスカード用レールの側面を示す側面図であり、図において１が本実施例のプライスカード用レールである。
【００２１】
そして、本実施例のプライスカード用レール１は、陳列棚、陳列台等の陳列什器に陳列している商品の商品名、価格等を表示したプライスカードを挟持して支持するための挟持部を有している。
【００２２】
即ち図において２が挟持部であり、本実施例において前記挟持部２は、正面板３と背面板４を具備し、正面板３は、ＰＥＴ樹脂により形成した透明体で、取り付ける陳列什器の幅に対応した所定の大きさの横長の長方形状としている。
【００２３】
一方、本実施例において前記背面板４は、前記正面板３とほぼ同一の形状寸法であるとともに前記正面板３と同様にＰＥＴ樹脂により形成した透明体としており、前記正面板３の背面側において正面板３に重ね合わさるように配置されている。そして、背面板４は、その下端部分が前記正面板３の下端部分に連結されており、連結に際しては、図１において矢印Ａで示すように、背面板４との連結部分である下端部分を起点に正面板３の上方部分を正面側にわずかに開くことが可能なように可動自在にしており、これにより、前記正面板３の上方部分をわずかに開いた状態で正面板３と背面板４間にプライスカードを挿入することで、正面板３と背面板４で挟持するようにして挟持部２内にプライスカードを支持可能としている。なお図２が正面板３を開いた状態を示す図である。
【００２４】
次に、図において５は、本実施例のプライスカード用レール１を陳列什器に取り付けるために用いる掛止部である。即ち、本実施例のプライスカード用レール１では、前記挟持部２の背面側に掛止部５を具備し、この掛止部５によって、プライスカード用レール１を陳列什器に取り付けることを可能としている。
【００２５】
ここで、前記掛止部５について説明すると、本実施例においては、前記背面板４の上端部分の長手方向に沿った全域に、挟持部２とほぼ同一の長さのヒンジ部１１の一端部を連結しており、このヒンジ部１１の他端における長手方向に沿った全域に掛止部５を連結し、これにより、前記挟持部２の上部に、ヒンジ部１１を介して掛止部５を回動自在に連結している。そして、本実施例において前記ヒンジ部１１は、熱可塑性エラストマー製としており、具体的には商品名ハイトレルを使用している。
【００２６】
また、前記掛止部５は、全体を樹脂により形成しており、支持板６と、この支持板６の上方部分に水平方向に連設された掛止板７と、この掛止板７の先端部分に下方に連設された背面側挟持板８を具備しており、支持板６と掛止板７と背面側挟持板８で囲まれた空間を掛止空間９としている。
【００２７】
そして、前記支持板６の上端部分には、前記ヒンジ部１１に連結された連結部１０を連設しており、掛止空間９内に陳列什器の欄干が挿入される形態で掛止部５を欄干に掛止することで、本実施例のプライスカード用レール１を欄干型の陳列什器に取り付けることを可能にしている。即ち、本実施例のプライスカード用レール１では、前記ヒンジ部１１の他端における長手方向に沿った全域に横長状の連結部１０を連設しており、この連結部１０の下端部分の全域に支持板６を連設している。
【００２８】
ここで、前記支持板６について説明すると、前記支持板６は、前記連結部１０との連設部分から背面側の斜め下方に向けて傾斜させた正面側挟持部１２を有しており、この正面側挟持部１２と前記連結部１０との連設部分近傍に、水平方向に向けて掛止板７を連設している。
【００２９】
また、前記正面側挟持部１２の下端には、正面側の斜め下方に向けて傾斜させたスペーサー部１３を連設しており、該スペーサー部の下端には下方に向けて挿入部１４を連設させており、この挿入部１４を、陳列什器の溝内に挿入可能としており、挿入部１４を陳列什器の溝内に挿入係止することで、本実施例のプライスカード用レール１を溝付きの陳列什器に取り付けることを可能にしている。更に、前述したように掛止部５は全体を樹脂により形成しているため、支持板６は、正面側に圧力を受けることで図１に矢印Ｂで示すように、掛止板７との連結部分を起点にして、正面側へ変形することが可能である。
【００３０】
なお、図において１５は係止爪部である。即ち、陳列棚の寸法はメーカーにより異なっており、陳列棚に形成される溝の奥行き方向の寸法（「厚さ寸法」）も一様ではない。そのため、溝の厚さ寸法が挿入部１４の厚さ寸法よりも大きい場合には、溝に挿入した挿入部１４が抜け落ちてしまうおそれがある。そのために本実施例においては、挿入部１４の先端部に係止爪部１５を形成することで、挿入部１４が溝から抜け落ちることを防止している。
【００３１】
なお、図示は省略するが、挿入部１４における前記係止爪部１５が形成された側と反対側に、突起部を形成してもよい。そうすると、溝の厚さ寸法が、挿入部１４の厚さ寸法と係止爪部１５を合せた厚さよりも大きく、挿入部１４を溝内に挿入したときに溝の内壁と挿入部１４との間に空間が生じてしまい、係止爪部１５を形成したのみでは挿入部１４が溝から抜け落ちてしまう場合に、係止爪部１５と突起部によって溝の内壁と挿入部１４との間の空間を無くし、挿入部１４の挿入状態を強固にして挿入部１４が溝から抜け落ちることを防止することが可能となる。
【００３２】
次に、図において１６は嵌合凹部である。即ち、本実施例においては、前記背面側挟持板８の下方部分の背面側において水平方向に向けて延長片１７を連設しており、この延長片の先端部には支持板側に向けて傾斜させた係止片１８を上方に向けて連設しており、これにより、前記背面側挟持板８の背面側と延長片１７と係止片１８とで囲まれた嵌合凹部１６を形成し、この嵌合凹部１６に商品仕切板を係合可能としている。
【００３３】
即ち、図６は一般的に陳列什器上を仕切るために用いる商品仕切板１９を示す図であり、この商品仕切板１９は、長尺平板状の商品仕切部２０と、この商品仕切部２０の先端部において商品仕切部２０と略直交する方向に向けて連設された係合部２１を具備しており、前記嵌合凹部１６内に前記係合部２１を係合することで、掛止部５に係合可能としている。そのため、本実施例のプライスカード用レール１では、前記嵌合凹部１６に商品仕切板１９を係合することで、陳列什器上を仕切ることが可能である。
【００３４】
次に、このように構成される本実施例のプライスカード用レールの作用について説明すると、図３において２２は陳列什器としての陳列棚であり、図３に示す陳列棚２２は溝を有するタイプの陳列什器で、図において２３が陳列棚２２の前面側に形成された溝である。そして、本実施例のプライスカード用レールを用いて図３に示す溝付きの陳列棚２２に装着する場合には、挿入部１４を溝２３内に挿入する。そうすると、溝付きの陳列棚２２に本実施例のプライスカード用レール１を装着することができ、この状態で、挟持部２内にプライスカードを挟持することで陳列棚にプライスカードを支持することができ、及び、嵌合凹部１６に商品仕切板１９を係合することで陳列棚２２上を仕切ることが可能である。
【００３５】
一方、図４は、欄干型の陳列什器としての陳列台に本実施例のプライスカードレール１を使用した場合を示す図であり、図４において２４が欄干型の陳列台で、２５が欄干である。そして、本実施例のプライスカード用レールを用いて図４に示す欄干型の陳列台２４に装着する場合には、欄干２５が掛止空間９内に挿入されるようにして、掛止部５を欄干２５に引っ掛ける。そうすると、欄干に本実施例のプライスカード用レール１を装着することができ、この状態で、挟持部２内にプライスカードを挟持することで陳列台２４にプライスカードを支持することができ、及び、嵌合凹部１６に商品仕切板１９を係合することで陳列台２４上を仕切ることが可能である。また、本実施例のプライスカード用レール１では、支持板６の先端部に、陳列棚の溝に挿入可能な挿入部１４を有しているが、この挿入部１４は、正面側挟持部１２の下端に正面側の斜め下方に向けて傾斜させて連設したスペーサー部１３の下端に連設しているために、正面側挟持部１２の下端に下方に向けて挿入部を連設した場合と異なり、掛止部５を欄干２５に掛止した場合には、スペーサー部１３の存在により、挿入部１４が陳列台２４をよけることができ、挿入部１４が陳列台２４に衝突することを防止できる。
【００３６】
更に図５は、ガラスフロントを有する陳列什器としての陳列棚に本実施例のプライスカードレール１を使用した場合を示す図であり、図５において２６がガラスフロントタイプの陳列棚で、２７がガラスフロントである。そして、本実施例のプライスカード用レールを用いて図５に示すガラスフロントタイプの陳列棚２６に装着する場合には、ガラスフロント２７が掛止空間９内に挿入されるようにして、掛止部５をガラスフロント２７に引っ掛ける。そうすると、ガラスフロント２７に本実施例のプライスカード用レール１を装着することができ、この状態で、挟持部２内にプライスカードを挟持することで陳列棚２６にプライスカードを支持することができ、及び、嵌合凹部１６に商品仕切板１９を係合することで陳列台２４上を仕切ることが可能である。
【００３７】
また、前述の欄干タイプの陳列台２４の場合と同様に、掛止部５をガラスフロント２７に掛止した場合には、スペーサー部１３の存在により、挿入部１４が陳列台２４をよけることが可能となる。
【００３８】
そしてこのとき、一般的にガラスフロントタイプの陳列棚２６では、ガラスフロント２７の正面側に棚部２８が形成されているため、挿入部１４が棚部２８をよけるようにする必要があるが、ガラスフロント２７は欄干と異なり上下方向の全体に均一に厚みを有しており、それにより、掛止部５を掛止した場合には支持板６は、ガラスフロント２７により正面側に圧力を受けることで正面側へ変形するために、挿入部１４が棚部２８をよけることが可能である。
【００３９】
更にそのとき、スペーサー部１３の先端が大きく正面側に突出するために、スペーサー部１３の先端部で挟持部２の下端部分を正面側に押し出して挟持部２を斜め上向きにすることができ、それにより、プライスカードを見やすくすることが可能である。
【００４０】
更に、本実施例のプライスカード用レール１では、ヒンジ部１１を、幅広い温度領域で使用可能な熱可塑性エラストマーにより形成しているため、従来のＰＥＲ製のヒンジ部と異なり、冷凍庫内の陳列什器に使用した場合でもヒンジ部が凍ってしまい裂けてしまうとことがないため、温度が零度以下になる冷凍庫内の陳列什器にも使用することが可能である。
【００４１】
このように、本実施例のプライスカード用レールでは、プライスカードを挟持して支持するための挟持部と、陳列什器の欄干に掛止可能な掛止空間を備えた掛止部を備えているとともに、掛止部を構成する支持板の先端には陳列什器の溝内に挿入可能な挿入部を具備しており、更に、挟持部と掛止部を連結するヒンジ部を熱可塑性エラストマー製としているため、溝付きの陳列什器、欄干型の陳列什器、及びガラスフロント付の陳列什器のいずれにも装着可能であるとともに、冷凍庫内の陳列什器にも使用することが可能である。
【産業上の利用可能性】
【００４２】
本発明のプライスカード用レールは、商品名や価格、特売情報等を表示したプライスカードを陳列什器に支持するためのプライスカード用レールの全般に適用可能である。
【符号の説明】
【００４３】
１    プライスカード用レール
２    挟持部
３    正面版
４    背面板
５    掛止部
６    支持板
７    掛止板
８    背面側挟持板
９    掛止空間
１０    連結部
１１    ヒンジ
１２    正面側挟持部
１３    スペーサー部
１４    挿入部
１５    係止爪部
１６    嵌合凹部
１７    延長片
１８    係止片
１９    商品仕切板
２０    商品仕切部
２１    係合部
２２    溝付きの陳列什器
２３    溝
２４    欄干型の陳列什器
２５    欄干
２６    ガラスフロントを有する陳列什器
２７    ガラスフロント
２８    棚部
【図１】
2018038574.tif 000003
【図２】
2018038574.tif 000004
【図３】
2018038574.tif 000005
【図４】
2018038574.tif 000006
【図５】
2018038574.tif 000007
【図６】
2018038574.tif 000008
【図７】
2018038574.tif 000009
【図８】
2018038574.tif 000010